(57)【要約】【課題】傷やＩＣチップ不良などの不具合を低減してカードを発行できる、簡易な構成のカード発行装置を提供することにある。【解決手段】カード発行装置であるカード処理ユニット１は、カードを積層坦持するディスペンサ部２０の正面側側面の底面付近に設けた開口から最下層のカードを送出する。ディスペンサ部２０の底面内側に周面の一部を配したローラ２８Ａは、回動によりカードを搬送する。前記開口の上端縁に配した丸棒３３Ｃは、カードの厚み方向を長手方向とする長円形状の開口と、前記長手方向を挿通方向として螺合されるストッパねじ３５との間に軸支され、前記開口を通過するカードに転接する。前記開口を通過したカードには、ライタ部１０が記録情報を書き込む。【選択図】図５
2008134852.tif 000002
【特許請求の範囲】
【請求項１】
カードを収容する容器の、側面底部付近に設けた送出口から前記カードを送出するカード発行装置において、
周面の一部を前記容器の底面内側に配した、前記カードを搬送するローラと、前記送出口を通過するカードに転接する、前記送出口の上端縁に配した丸棒と、を備えるカード発行装置。
【請求項２】
前記丸棒を軸支する軸受を、前記カードの厚み方向を長手方向とする長円形状の開口で構成した請求項１に記載のカード発行装置。
【請求項３】
前記送出口を通過して所定位置に配置されたカードに記録情報を書き込む記録制御部をさらに備える請求項１または２に記載のカード発行装置。
【発明の詳細な説明】
【技術分野】
【０００１】
この発明はＩＣカード等のカードを発行するカード発行装置に関する。
【背景技術】
【０００２】
未発行のプリペイド式カードを新規に発行するカード発行装置が普及している（例えば、特許文献１参照）。
【０００３】
図１に従来のカード発行装置の構成を示す。カード発行装置１００は、未発行のカードＣ１をカードリーダ２００に送る。カードリーダ２００は受け取ったカードＣ１に記録情報を書き込む。また、カードリーダ２００は記録情報の書き込みに失敗したカードＣ２をカード発行装置１００に送る。カード発行装置１００は受け取ったカードＣ２を回収する。
【０００４】
カード発行装置１００は、矩形筒状の容器１２１を備える。容器１２１は複数のカードＣ１を積層して収容する。容器１２１の側面底部には送出口１２２を設けている。送出口１２２は、斜行する金属板部材１２３で上端縁を構成している。また、送出口１２２は、回転可能なローラ１２４で下端縁を構成している。ローラ１２４は周面の一部が容器１２１内に配置される。ローラ１２４が回転することで、容器１２１内の最下層のカードＣ１が送出口１２２から送出される。
【０００５】
容器１２１から送出するカードは、ローラ１２４により底面から持ち上げられる。そして、上表面が送出口１２２の上端縁に擦過しながら送出口１２２を通過する。
【特許文献１】特開平０５−１５９１１０号公報
【発明の開示】
【発明が解決しようとする課題】
【０００６】
仮に送出口１２２の上端縁である金属板部材１２３の角が鋭利であれば、カードの上表面に傷が付くことがある。また、金属板部材１２３に異物が付着しても、やはりカードに傷が付くことがある。また、カードがＩＣチップを内蔵したタイプであれば、ローラ１２４と金属板部材１２３とから過度な力で挟まれることにより、ＩＣチップが故障することもある。
【０００７】
そこで本発明の目的は、簡易な構成で、表面の傷やＩＣチップの故障などを低減してカードを発行できるカード発行装置を提供することにある。
【課題を解決するための手段】
【０００８】
この発明は、カードを収容する容器の、側面底部付近に設けた送出口から前記カードを送出するカード発行装置において、周面の一部を前記容器の底面内側に配した、前記カードを搬送するローラと、前記送出口を通過するカードに転接する、前記送出口の上端縁に配した丸棒と、を備える。
【０００９】
この構成では、容器底面に設けたローラが、カードを開口から送出する。この時、カードはローラにより持ち上げられる。そのため、開口の上端縁にカードの上表面が接触する。
【００１０】
この開口の上端縁に回転可能な丸棒を配置することで、丸棒とカードの間の摩擦が低減する。また、カードの上表面が角に接することがなくなる。したがって、擦過による傷が付くことが殆ど無くなる。
【００１１】
また、この発明は、前記丸棒を軸支する軸受を、前記カードの厚み方向を長手方向とする長円形状の開口で構成する。
【００１２】
これにより、長円形状の範囲内で丸棒が自由に動く。したがって、丸棒からカードに過度な圧力がかからなくなる。さらに、開口の寸法を厳密に設定しなくても、様々な板厚のカードを、表面の傷やＩＣチップ等の故障を抑制して発行できる。
【００１３】
また、この発明は、前記開口を通過して所定位置に配置されたカードに記録情報を書き込む記録制御部をさらに備える。
【００１４】
したがって、表面の傷やＩＣチップ等の故障を無くして、記録情報の書き込みを行ったカードを発行できる。
【発明の効果】
【００１５】
この発明のカード発行装置によれば、簡易な構成で、カード表面の傷やＩＣチップ等の故障を無くすことができる。
【発明を実施するための最良の形態】
【００１６】
本発明の実施形態のカード発行装置を、換金装置に組み込まれるカード処理ユニットを例に図２〜５に基づいて説明する。
【００１７】
本実施形態のカード処理ユニット１は、紙幣処理ユニット（不図示）や、制御ユニット（不図示）などと共に、筺体（不図示）内に収容されて換金装置を構成する。換金装置は遊戯店等に設置される。そして、換金装置は遊戯機で利用するプリペイド式のカードを発行する。カードは、厚み０．７６ｍｍの難可撓性のものである。このカードはＩＣチップを内蔵する。ＩＣチップには残金情報や偽造防止情報などが記録される。
【００１８】
この換金装置でのカード発行処理は、紙幣処理ユニットが利用者からの紙幣の投入を受け、制御ユニットが利用者からの発行指示操作を受けることで実施される。カード発行処理により、カード処理ユニットは投入金額を記録した未発行のカードを発行する。
【００１９】
図２は本実施形態のカード発行装置であるカード処理ユニット１の外観図を示している。この図では、図左手前を正面、図右手前を右側面として説明する。
【００２０】
カード処理ユニット１は、背面側に設置されたディスペンサ部２０と、正面側に設置されたライタ部１０とを備える。また、各部を駆動させる複数のモータを備える。
【００２１】
ディスペンサ部２０は複数のカードを収容する。そして、ディスペンサ部２０は複数のカードのうち、最下層のカードを正面側からライタ部１０に送出する。この送出は、カード搬送用のローラ２８Ａ（不図示）により行う。ローラ２８ＡはモータＭ２により駆動させる。
【００２２】
ライタ部１０は、ディスペンサ部２０から搬送されてきたカードに記録情報を書き込む。またライタ部１０は、記録情報の書き込み後のカードをカード排出口から、装置外に送出する。このライタ部１０のカード搬送用のローラ群（不図示）はモータＭ１により駆動させる。
【００２３】
次に、ディスペンサ部２０の詳細構成を説明する。図３はディスペンサ部２０の外観図である。
【００２４】
ディスペンサ部２０は、ゲートユニット３０と、蓋部２９と、駆動軸２８Ｂに設けたローラ２８Ａ（不図示）と、モータＭ２とを、躯体２１に組み付けたものである。
【００２５】
躯体２１は、右躯体２２と、左躯体２３とからなる。右躯体２２は、金属板を折り曲げて正面部２２Ｂと側面部２２Ａと背面部２２Ｃとを成形したものである。左躯体２３は、金属板を折り曲げて正面部２３Ｂと側面部２３Ａと背面部２３Ｃとを成形したものである。右躯体２２の正面部２２Ｂと左躯体２３の正面部２３Ｂとは接合している。また、右躯体２２の背面部２２Ｃと左躯体２３の背面部２３Ｃとも接合している。
【００２６】
側面部２２Ａと側面部２３Ａとは、それぞれ正面部及び背面部よりも下方に延設されている。この下方に延設した部位でディスペンサ部２０全体が支持される。以下、この延設された平行平板状の部位を支持部位２１Ｂと称する。また、支持部位２１Ｂに支持される部位を筒状部位２１Ａと称する。筒状部位２１Ａは、略矩形筒状である。
【００２７】
ゲートユニット３０は、筒状部位２１Ａの下部に、正面部２２Ｂ，２３Ｂとの間で所定間隔の隙間ができるように配置している。ここでは、所定間隔をカードの板厚（０．７６ｍｍ）よりも大きい、約１ｍｍとしている。筒状部位２１Ａとゲートユニット３０とがカードを収容する容器を構成する。
【００２８】
ローラ２８Ａ（不図示）は、ゲートユニット３０のさらに下部に回転軸２８Ｂを回転中心として配置している。ゲートユニット３０には開口（不図示）を設けている。ローラ２８Ａの周面の一部は、この開口を介して筒状部位２１Ａ内に配される。このローラ２８Ａは最下層のカードに接する。モータＭ２は、ローラ２８Ａの背面側に設置している。このモータＭ２は、ローラ２８Ａの回転軸２８Ｂを駆動させる。蓋部２９は、容器内に積層されるカード上に載置する。
【００２９】
ゲートユニット３０は、正面部２２Ｂ，２３Ｂよりも正面側に突出する部位を有する。この部位は、後述するゲート金具である。ゲート金具にはゲートシャフト３３を設けている。このゲート金具とゲートシャフト３３とがディスペンサ部２０の送出口を構成する。なお、ゲートシャフト３３の軸径は、筒状部位２１Ａとゲートユニット３０の間隔（約１ｍｍ）よりも大きい約４ｍｍである。
【００３０】
次に、ゲートユニット３０の詳細構成を図４に基づいて説明する。同図（Ａ）はゲートユニット３０の外観斜視図、同図（Ｂ）はゲートユニット３０の断面図である。
【００３１】
ゲートユニット３０は、搬送パネル３１Ａ，３１Ｂと、ゲート金具３２と、ゲートシャフト３３と、ストッパねじ３５Ａ,３５Ｂとからなる。
【００３２】
ゲート金具３２は、板材をＣ字型に折り曲げた形状である。ゲート金具３２は、下端部３２Ｃと、側端部３２Ａ，３２Ｂと、上端部３２Ｄ，３２Ｅと、を一体に構成してなる。側端部３２Ａ，３２Ｂは、下端部３２Ｃの両端から上方向に立接する。上端部３２Ｄ，３２Ｅは、側端部３２Ａ，３２Ｂの上端からそれぞれ内側に立接する。上端部３２Ｄ，３２Ｅと下端部３２Ｃの間隔は約１０ｍｍとしている。側端部３２Ａ，３２Ｂそれぞれには、図上方向を長手方向とする長円形の開口部分を設けている。
【００３３】
ゲートシャフト３３は、丸棒３３ＣとＥリング３３Ａ，３３Ｂとベアリング３４Ａ，３４Ｂとワッシャ３６Ａ，３６Ｂとからなる。丸棒３３Ｃの両端周面には、それぞれ部分的な切込みを設けている。この切込みに、Ｅリング３３Ａ，３３Ｂの係止片が係止する。また、Ｅリング３３Ａ，３３Ｂそれぞれの軸方向内側にはワッシャ３６Ａ，３６Ｂを丸棒３３Ｃに緩嵌している。また、ワッシャ３６Ａ，３６Ｂのさらに軸方向内側にはベアリング３４Ａ，３４Ｂを丸棒３３Ｃに嵌合している。Ｅリング３３Ａ，３３Ｂとベアリング３４Ａ，３４Ｂとのそれぞれの間隔は、ワッシャ３６Ａ，３６Ｂの厚さ寸法と略等しくしている。ベアリング３４Ａ，３４Ｂは丸棒３３Ｃに対して圧入している。
【００３４】
ゲート金具３２の側端部３２Ａ，３２Ｂに設けた開口部分に、ゲートシャフト３３の丸棒３３Ｃが挿通される。ゲートシャフト３３のベアリング３４Ａ，３４Ｂは、ゲート金具３２の上記開口部分に接触するように配置されている。Ｅリング３３Ａ，３３Ｂは、ゲート金具３２の側端部３２Ａ，３２Ｂよりも外側で丸棒３３Ｃに係合される。この開口部分の長手方向寸法は丸棒３３Ｃの軸径（約４ｍｍ）よりも長く、上端部３２Ｄ，３２Ｅと下端部３２Ｃの間隔（約１０ｍｍ）よりも短い９ｍｍとしている。したがって、側端部３２Ａ，３２ＢとＥリング３３Ａ，３３Ｂとベアリング３４Ａ，３４Ｂとが、丸棒３３Ｃの軸受けとして作用し、ゲートシャフト３３は、開口部分で図上下方向に摺動自在で、且つ回転自在に軸支される。
【００３５】
ゲート金具３２の側端部３２Ａ，３２Ｂに設けた開口部分は、ゲートシャフト３３が下位置にあるときに、丸棒３３Ｃがゲート金具３２の下端部３２Ｃに当接するように、ベアリング３４Ａ，３４Ｂの当接部分を切り欠いている。また、ベアリング３４Ａ，３４Ｂにはフランジ部分を設けていて、このフランジ部分がゲート金具３２の側端部３２Ａ，３２Ｂ外側に接するようにしている。したがって、側端部３２Ａ，３２Ｂに設けた開口部分の幅寸法は、ベアリング３４Ａ，３４Ｂの小径部分の直径よりも若干大きく、ベアリング３４Ａ，３４Ｂのフランジ部分の直径よりも若干小さく成形している。
【００３６】
また、ゲート金具３２の上端部３２Ｄ，３２Ｅにはねじ穴を設けていて、このねじ穴にはストッパねじ３５Ａ，３５Ｂを螺合している。ストッパねじ３５Ａ，３５Ｂの挿通方向は、側端部３２Ａ，３２Ｂに設ける開口の長手方向と同方向としている。螺合により、ストッパねじ３５Ａ，３５Ｂの先端が、上位置のときの丸棒３３Ｃに当接するようにしている。したがって、このストッパねじ３５Ａ，３５Ｂを設けていない場合には、ゲートシャフト３３は側端部３２Ａ，３２Ｂの開口内で鉛直方向に自由に摺動可能である。しかし、ストッパねじ３５Ａ，３５Ｂの螺合により、ゲートシャフト３３の摺動範囲は規制される。ストッパねじ３５Ａ，３５Ｂの螺合の程度により、ゲートシャフト３３の摺動範囲が微調整される。
【００３７】
搬送パネル３１Ａ，３１ＢはそれぞれＬ字型の金属部材である。搬送パネル３１Ａ，３１Ｂは、互いに接合されてコの字型の部材を構成する。搬送パネル３１Ａ，３１Ｂはコの字型の先端部分には、ゲート金具３２の下端部３２Ｃが接合する。これにより、ゲート金具３２の下端部３２Ｃと搬送パネル３１Ａ，３１Ｂとは、筒状部位２１Ａの底面を構成する。また、下端部３２Ｃと搬送パネル３１Ａ，３１Ｂとは矩形の開口を備えることになる。この矩形の開口には、前述のローラ（２８Ａ）の周面の一部が嵌りこむ。
【００３８】
このような構成のゲートユニット３０を躯体２１の筒状部位２１Ａの下部に配置して接合することにより、ディスペンサ部２０が構成される。
【００３９】
カードの送出時、カードの上表面が丸棒３３Ｃに接触する。丸棒３３Ｃは角が無いので、カードに傷が付くことが無い。また、丸棒３３Ｃはカードに転接するので、丸棒３３Ｃとカードの間の摩擦が極めて小さなものになる。したがって、異物との擦過による傷が付くことがほとんど無くなる。
【００４０】
また、ゲートシャフト３３の軸受にベアリング３４Ａ，３４Ｂを設けているので、丸棒３３Ｃがゲート金具３２との摩擦等により損傷することがなくなる。これにより、丸棒３３やゲート金具３２の金属粉が生じることを無くし、金属粉によってカードに傷が付くことを無くしている。なお、ここではベアリング３４Ａ，３４Ｂの外側周面を鏡面加工することで、摩擦抵抗を極めて小さいものにしている。また、ベアリング３４Ａ、３４Ｂを丸棒３３Ｃよりも高硬度な材料で構成することによって、ベアリング３４Ａ，３４Ｂ自体の損傷も低減している。
【００４１】
次に、ディスペンサ部からのカード送出時の状態を説明する。図５は、ディスペンサ部の断面図である。ここでは、ディスペンサ部内に積層したカードのうち最下層のものをカードＣ１、カードＣ１の上に積層されたものをカードＣ２とする。
【００４２】
同図（Ａ）は丸棒３３Ｃが自重により下位置に下がった状態を示している。同図（Ｂ）はカードＣ１により丸棒３３Ｃが上位置まで持ち上げられた状態を示している。
【００４３】
躯体２１の筒状部位とゲートユニットとからなる容器内には、発行処理に用いる未発行のカードが適宜補充される。この容器内には、カードが複数枚、積層して収容される。
【００４４】
同図（Ａ）に示すように、最下層のカードＣ１の下表面には、ローラ２８Ａが接する。ローラ２８Ａの回転により、カードＣ１は丸棒３３Ｃ方向に搬送される。また、このとき、カードＣ１との摩擦により、カードＣ１の上のカードＣ２も丸棒３３Ｃ方向に搬送される。
【００４５】
同図（Ｂ）に示すように、カードＣ１は丸棒３３Ｃを下位置から上位置に持ち上げて、丸棒３３Ｃの下を通過する。このとき、カードＣ２も丸棒３３Ｃを持ち上げようとするが、丸棒３３Ｃの鉛直方向の摺動範囲は、ストッパねじ３５Ｂにより規制され、丸棒３３Ｃはこれ以上持ち上がらない。したがって、カードＣ２は送出されずに、容器内に留まる。なお、ストッパねじ３５Ａ，３５Ｂを設けなくても、ゲートシャフト３３の重量を重くしておくことで、カードＣ２が送出されずに容器内に留まるようにも設定可能である。
【００４６】
このように、丸棒３３Ｃがゲートユニットの側端部３２Ｂの開口内で動き、その範囲がストッパねじ３５Ｂの螺合の程度によって定まる。したがって、ストッパねじ３５Ｂの螺合の程度により、開口の寸法を調整可能となる。また、ストッパねじ３５Ｂの螺合の程度を適切に設定することで、丸棒３３ＣからカードＣ１に過度な応力がかかることを無くすことができ、カードＣ１に設けられるＩＣチップ等の破損が低減できる。
【図面の簡単な説明】
【００４７】
【図１】従来構成を説明する図である。
【図２】実施形態に係るカード発行装置であるカード処理ユニットの外観図である。
【図３】上記カード処理ユニットに設けるディスペンサ部の外観図である。
【図４】上記ディスペンサ部を構成するゲートユニットの外観図である。
【図５】上記ゲートユニットの動作を説明する図である。
【符号の説明】
【００４８】
１…カード処理ユニット
１０…ライタ部
２０…ディスペンサ部
２１…躯体
２１Ａ…筒状部位
２１Ｂ…支持部位
２２…右躯体
２３…左躯体
２２Ａ，２３Ａ…側面部
２２Ｂ，２３Ｂ…正面部
２２Ｃ，２３Ｃ…背面部
２８Ａ…ローラ
２８Ｂ…駆動軸
２９…蓋部
３０…ゲートユニット
３１Ａ，３１Ｂ…搬送パネル
３２…ゲート金具
３２Ａ，３２Ｂ…側端部
３２Ｃ…下端部
３２Ｄ，３２Ｅ…上端部
３３…ゲートシャフト
３３Ａ，３３Ｂ…Ｅリング
３３Ｃ…丸棒
３４Ａ，３４Ｂ…ベアリング
３５Ａ，３５Ｂ…ストッパねじ
３６Ａ，３６Ｂ…ワッシャ
Ｃ１，Ｃ２…カード
Ｍ１，Ｍ２…モータ
【図１】
2008134852.tif 000003
【図２】
2008134852.tif 000004
【図３】
2008134852.tif 000005
【図４】
2008134852.tif 000006
【図５】
2008134852.tif 000007